(57)【要約】【課題】本発明の実施例はアクセス制御方法及び装置を提供する。【解決手段】アクセス制御方法は、端末の信号特徴値に基づいて端末の位置情報を決定し、位置情報に基づいて、端末がアクセスエリアの境界を通過して当該アクセスエリアに進入したか否かを決定し、端末がアクセスエリアに進入したと決定された場合に、端末がアクセスエリア内のサービスを使用することを許可し、該アクセスエリアの境界は、予め取得された参考装置の信号特徴値に基づいて決定されたものである。【選択図】図１
2017028697.tif 000002
【特許請求の範囲】
【請求項１】
端末の信号特徴値に基づいて端末の位置情報を決定するステップと、
位置情報に基づいて、端末がアクセスエリアの境界を通過して当該アクセスエリアに進入したか否かを決定するステップと、
端末がアクセスエリアに進入したと決定された場合に、端末がアクセスエリア内のサービスを使用することを許可するステップと、を含み、
アクセスエリアの境界は、予め取得された参考装置の信号特徴値に基づいて決定されたものである、アクセス制御方法。
【請求項２】
発信した信号強度に基づいて前記信号特徴値を生成する、請求項１に記載の方法。
【請求項３】
アクセスエリアの境界は、アクセスエリアの各入口に対応する複数本の境界を含み、
前記位置情報に基づいて端末がアクセスエリアの境界を通過して当該アクセスエリアに進入したか否かを決定するステップは、
位置情報に基づいて端末が所定の順序でアクセスエリアの一つの入口の複数本の境界の中の少なくとも二本の境界を通過したと決定されたとき、端末が当該アクセスエリアに進入したと決定するステップ、を含む、請求項１または２に記載の方法。
【請求項４】
アクセスエリアに通じる各経路について、参考装置の以前の該経路上の信号特徴値に基づいて当該経路をエリアに区分し、
前記端末の信号特徴値に基づいて端末の位置情報を決定するステップは、
端末の信号特徴値に基づいて、区分されたエリア内で当該端末の位置する現在エリアを決定するステップと、
前記現在エリアを端末の位置情報とするステップと、を含む、請求項１または２に記載の方法。
【請求項５】
位置情報に基づいて端末の移動軌跡を決定するステップ、をさらに含み、
前記端末がアクセスエリアに進入したと決定された場合に、端末がアクセスエリア内のサービスを使用することを許可するステップは、
移動軌跡がアクセスエリアに通じる経路内の一本の経路とマッチングし、且つ端末がアクセスエリアに進入したと決定されたとき、端末がアクセスエリア内のサービスを使用することを許可するステップを含む、請求項４に記載の方法。
【請求項６】
アクセスエリアは、ユーザーからのエリア選択入力に基づいて決定された一つまたは複数の候補エリアを含み、
各候補エリアは、予め取得された参考装置の信号特徴値に基づいて決定された候補エリアの境界を有し、
アクセスエリアの境界は、決定された一つまたは複数の候補エリアの境界に基づいて生成されたものである、請求項１または２に記載の方法。
【請求項７】
位置情報に基づいて、端末が当該アクセスエリアを離脱したか否かを決定するステップと、
端末が当該アクセスエリアを離脱したと決定された場合に、端末がアクセスエリア内のサービスを使用することを禁止するステップと、をさらに含む、請求項１または２に記載の方法。
【請求項８】
端末の信号特徴値に基づいて端末の位置情報を決定する位置取得手段と、
位置情報に基づいて、端末がアクセスエリアの境界を通過して当該アクセスエリアに進入したか否かを決定するエリア進入決定手段と、
端末がアクセスエリアに進入したと決定された場合に、端末がアクセスエリア内のサービスを使用することを許可するサービス提供手段と、を含み、
アクセスエリアの境界は、予め取得された参考装置の信号特徴値に基づいて決定されたものである、アクセス制御装置。
【請求項９】
アクセスエリアの境界は、アクセスエリアの各入口に対応する複数本の境界を含み、
エリア進入決定手段は、位置情報に基づいて端末が所定の順序でアクセスエリアの一つの入口の複数本の境界の中の少なくとも二本の境界を通過したと決定されたとき、端末が当該アクセスエリアに進入したと決定する、請求項８に記載の装置。
【請求項１０】
アクセスエリアに通じる各経路について、参考装置の以前の当該経路上の信号特徴値に基づいて当該経路をエリアに区分するエリア区分手段、をさらに含み、
前記位置取得手段は、端末の信号特徴値に基づいて、区分されたエリア内で当該端末の位置する現在エリアを決定し、前記現在エリアを端末の位置情報とする、請求項８または９に記載の装置。
【発明の詳細な説明】
【技術分野】
【０００１】
本発明はアクセス制御方法及び装置に関し、さらに具体的には、本発明は端末の位置情報からアクセス制御を行う方法及び装置に関する。
【背景技術】
【０００２】
近年、使用効率を上げるため、ますます多くの例えば教室、オフィス空間、イベント空間といったエリアがユーザーの必要に合わせてレイアウトできるようになっている。例えば、会議室など特定のオフィスエリアを利用したいとき、多くの企業は従業員が予約登録を行うことを許可し、予約時間に予約登録を許可した従業員が当該特定のオフィスエリアを使用する。ユーザーがこのエリアを使用するとき、通常当該エリアの空間資源の使用を希望するだけでなく、当該空間内の例えば無線ネットワーク、プリンタ、プロジェクタといったサービス資源の使用を望んでいる。
【０００３】
特定エリアの入口に例えば赤外線、近接場などの装置を設置し、ユーザーが行った予約登録どおりに予約エリアに入っているかどうかを決定し、ユーザーが予約エリアに入ったことを決定したとき、ユーザーのエリアのサービス資源へのアクセスを許可することがすでに提案されている。しかしながら、赤外線、近接場などの装置の設置位置は固定であり、ユーザーの必要性に合わせて使用するエリアの境界を柔軟に調整するのが不便である。また、赤外線、近接場などの装置の設置はエリアをレイアウトするコストが増える。
【発明の概要】
【０００４】
本発明の実施例は、アクセス制御方法及び装置を提供し、前記問題を解決することを目的とする。
【０００５】
本発明の実施例は、端末の信号特徴値に基づいて端末の位置情報を決定するステップと、位置情報に基づいて、端末がアクセスエリアの境界を通過して当該アクセスエリアに進入したか否かを決定するステップと、端末がアクセスエリアに進入したと決定された場合に、端末がアクセスエリア内のサービスを使用することを許可するステップと、を含み、アクセスエリアの境界は、予め取得された参考装置の信号特徴値に基づいて決定されたものである、アクセス制御方法を提供する。
【０００６】
本発明の別の実施例では、端末の信号特徴値に基づいて端末の位置情報を決定する位置取得手段と、位置情報に基づいて、端末がアクセスエリアの境界を通過して当該アクセスエリアに進入したか否かを決定するエリア進入決定手段と、端末がアクセスエリアに進入したと決定された場合に、端末がアクセスエリア内のサービスを使用することを許可するサービス提供手段と、を含み、アクセスエリアの境界は、予め取得された参考装置の信号特徴値に基づいて決定されたものである、アクセス制御装置を提供する。
【０００７】
前記本発明の実施例の提供するアクセス制御方法及び装置では、参考装置の以前の境界での信号特徴値からアクセスエリアの境界を決定し、当該境界と端末の信号特徴値に基づいて決定した端末の位置情報から端末が所定のアクセスエリアに進入したかどうかを決定し、それによってアクセスエリアの境界を柔軟にでき、かつ特定エリアの入口に赤外線、近接場などの装置を設置する必要はなく、出費を節約できる。
【図面の簡単な説明】
【０００８】
【図１】本発明の実施例のアクセス制御方法のフローチャートである。
【図２ａ】本発明の実施例のアクセスエリアの境界を設置する例示的状況の説明図である。
【図２ｂ】本発明の別の実施例のアクセスエリアの境界を設置する例示的状況の説明図である。
【図３】本発明の実施例のアクセス制御装置の例示的構造ブロック図である。
【図４】本発明の実施例のアクセス制御システムの全体ハードウェアブロック図である。
【発明を実施するための形態】
【０００９】
当業者に本発明をよりきちんと理解してもらうため、図面を参考に本発明の好適実施例を詳しく記述する。なお、本明細書と図面では、基本的に同じステップ及び元素には同じ図面表記を用いて表示し、またこのステップ及び元素の重複した解説は省略していることである。
【００１０】
本発明の実施例では、端末と参考装置は例えばWIFI信号、ブルートゥース(登録商標)信号といった無線信号を発信できる移動可能な機器である。端末及び参考装置の具体的形式は携帯電話、ノートパソコン、マルチメディアプレーヤー、カメラ、ゲーム機などを含むがそれに限らない。また、アクセスエリアはフロアの中の特定ルームのあるエリアである。また、本発明の実施例では、端末はすでに予約を行った、アクセスエリア内のサービスを使用する権限のある機器と仮定する。
【００１１】
図1は本発明の実施例のアクセス制御方法のフローチャートである。以下、図1を参照しながら本発明の実施例のアクセス制御方法を説明する。図1に示すように、ステップS101では、端末の信号特徴値に基づいて端末の位置情報を決定する。また、ステップS102では、ステップS101で取得した位置情報に基づいて、端末がアクセスエリアの境界を通過して当該アクセスエリアに進入したか否かを決定する。本発明の実施例では、アクセスエリアの境界は以前に取得した参考装置の信号特徴値から決定したものである。
【００１２】
特徴値は一つの値でも、複数の値を含む配列でもよい。例えば、発信した信号強度から信号特徴値を生成できる。本発明のある例では、信号空間減衰モデルを利用して端末または参考装置の発信する信号のRSSI（受信信号強度指示器）を計算して信号特徴値とすることができる。例えば、以下の公式（1）を通じて装置の発信する信号のRSSIを計算できる。
【数１】
2017028697.tif 000003
【００１３】
式中、nはパスロス指数、dは装置の距離、d0は参考距離、Aは参考距離d0のところの参考RSSIである。
【００１４】
また、端末の信号特徴アクセスエリアの値から決定した位置情報と以前に取得した参考装置の信号特徴値から決定したアクセスエリアの境界がマッチングしたとき、端末はアクセスエリアの境界を通過し、アクセスエリアに進入したことを決定する。
【００１５】
本発明の一例では、アクセスエリアは一つの候補エリアを含むことも、複数の候補エリアを含むこともできる。具体的には、ユーザーからのエリア選択入力に基づいてアクセスエリアの含む候補エリアを決定できる。また、各候補エリアの境界にしたい物理的位置を予め決定し、決定した物理的位置での参考装置の信号特徴値を測定及び/または計算し、取得した決定した物理的位置での信号特徴値を候補エリアの境界とすることができる。
【００１６】
ユーザーからのエリア選択入力に基づいてアクセスエリアの含む候補エリアを決定後、決定した候補エリアの境界からアクセスエリアの境界を生成できる。例えば、ユーザーからのエリア選択入力に基づいてアクセスエリアの含む一つの候補エリアを決定したとき、当該候補エリアの境界をアクセスエリアの境界とすることができる。また例えば、ユーザーからのエリア選択入力に基づいてアクセスエリアの含む複数の候補エリアを決定したとき、当該複数の候補エリアの境界の中の結合されたアクセスエリア周囲にある境界をアクセスエリアの境界とする。
【００１７】
また、本発明の別の実施例では、アクセスエリアの境界はアクセスエリアの各入口に対応する複数本の境界を含むことができる。ステップS102では、位置情報から端末が所定の順序でアクセスエリアの一つの入口の複数本の境界の中の少なくとも二本の境界を通過したのを決定したとき、端末が当該アクセスエリアに進入したのを決定する。例えば、アクセスエリアの境界は少なくともアクセスエリアの各入口に設置した内境界と当該入口に通じる経路上の外境界を含む。位置情報から端末がまず外境界を通過し、その後さらに内境界を通過したのを決定したとき、端末が当該アクセスエリアに進入したのを決定する。本発明の一例では、アクセスエリアの入口と当該入口に通じる経路は予め決定した有効な入口と経路であり、かつ有効な入口と経路の個数は有限である。
【００１８】
以下、図2aと図2bを組み合わせて本発明の実施例のアクセスエリアの境界を設置する例示的な状況を説明する。図2aは本発明の実施例のアクセスエリアの境界を設置する例示的状況の説明図である。図2bは本発明の別の実施例のアクセスエリアの境界を設置する例示的状況の説明図である。図2aと図2bに示す例示的状況では、フロア200には第一候補エリア210と第二候補エリア250が存在する。第一候補エリア210は一つの入口を有し、かつ当該入口に通じる三本の経路がある。第二候補エリア250は一つの入口を有し、かつ当該入口に通じる二本の経路がある。予め参考装置の第一候補エリア210の入口の信号特徴値から第一候補エリア210の入口に第一候補エリア210の内境界211を設置し、かつ参考装置の当該入口近くにある三本の経路上の信号特徴値から当該入口近くの三本の経路上にそれぞれ第一候補エリア210の外境界212、213、214を設置する。予め参考装置の第二候補エリア250の入口の信号特徴値から第二候補エリア250の入口に第二候補エリア250の内境界251を設置し、かつ参考装置の当該入口近くの二本の経路上の信号特徴値から当該入口近くの二本の経路上にそれぞれ第二候補エリア250の外境界252、253を設置する。
【００１９】
図2aに示す例では、ユーザーからのエリア選択入力に基づいてアクセスエリアは第一候補エリア210であると決定する。このような場合、第一候補エリア210の内境界211と外境界212、213、214はアクセスエリアの境界となることができる。例えば図2aの破線220の示すように、位置情報から端末がまず外境界212を通過し、その後さらに内境界211を通過したのを決定したとき、端末はアクセスエリア210に進入したのを決定する。
【００２０】
また図2bに示す例では、ユーザーからのエリア選択入力に基づいてアクセスエリアは第一候補エリア210と第二候補エリア250であると決定する。このような場合、以下の通りである。
【００２１】
第一候補エリア210と第二候補エリア250の境界のうち、結合されたアクセスエリア周囲にある境界212、213と253をアクセスエリアの外境界とし、第一候補エリア210と第二候補エリア250の内境界をアクセスエリアの内境界とし、かつアクセスエリア内部にある第一候補エリア210の外境界214及び第一候補エリア210の外境界252を使用しないことができる。位置情報から端末がまず外境界212、213と253の中の一つを通過し、その後さらに内境界211と251の中の一つを通過したのを決定したとき、端末がアクセスエリアに進入したのを決定する。
【００２２】
なお、図2に示す例では入口が内境界と外境界を有している状況を例に説明したが、本発明はこれに限らないことである。例えば、内境界と外境界に直接中間境界を設置し、端末の移動方式をさらに決定することができる。
【００２３】
図1に戻り、端末がアクセスエリアに進入したと決定したとき、ステップS103では端末がアクセスエリア内のサービスを使用することを許可する。
【００２４】
また、本発明の別の例では、アクセスエリアに通じる各経路に対して、参考装置の以前に当該経路上での信号特徴値から当該経路をエリア分けすることができる。ステップS101では端末の信号特徴値から、区分したエリア内で当該端末のある現在エリアを決定し、現在エリアを端末の位置情報とすることができる。そのため、端末のあるエリアを決定するだけで端末の位置情報を取得でき、端末の正確な位置情報は不要であり、それによって端末の位置情報を取得するのに行う必要のある捜査を簡略化できる。
【００２５】
一部状況では、安全を考慮して、有効ではない経路からアクセスエリアに進入したいかなる装置も禁止したいこともありうる。この場合、軌跡を通じて端末にさらなる認証を行うことができる。具体的には、位置情報から端末の移動軌跡を決定する。前述したように、端末のある現在エリアから端末の移動軌跡を生成できる。
【００２６】
例えばマッチングを通じて端末と各エリアの接近度を判断できる。端末を携帯しているユーザーが進み、次々と各エリアを通過したとき、端末の発信した信号の特徴値に関するシーケンスを記録し、当該シーケンスを通じて端末の移動軌跡、即ち特定時刻に端末がどのエリアに現れるかをおおよそ判断できる。好適には、各エリアに対応する信号特徴値は複数の数値を含む配列であり、より高い判断精度を提供できる。
【００２７】
ステップS103では、移動軌跡とアクセスエリアに通じる経路内の一本の経路がマッチングし、端末がアクセスエリアに進入したのを決定したとき、端末がアクセスエリア内のサービスを使用することを許可する。例えば、移動軌跡が一本の経路上の全てのエリアを通過したのを決定したとき移動軌跡と当該経路がマッチングしていると決定できる。入れ替えて、移動軌跡と一本の経路上のエリアのマッチングする個数が所定しきい値を超えているのを決定したとき、移動軌跡と当該経路がマッチングしていると決定できる。
【００２８】
また、本発明の別の例では、図1に示す方法はさらに位置情報から端末が当該アクセスエリアを離脱したかどうかを決定し、端末が当該アクセスエリアを離脱したことを決定したとき、端末が当該アクセスエリア内のサービスを使用することを禁止することを含むことができる。
【００２９】
以上の本発明の実施例の提供するアクセス制御方法では、参考装置の以前の境界での信号特徴値からアクセスエリアの境界を決定し、当該境界と端末の信号特徴値に基づいて決定した端末の位置情報から端末が所定のアクセスエリアに進入したかどうかを決定し、それによってアクセスエリアの境界を柔軟にでき、かつ特定エリアの入口に赤外線、近接場などの装置を設置する必要はなく、出費を節約できる。
【００３０】
以下、図3を参考に本発明の実施例のアクセス制御装置を説明する。図3は本発明の実施例のアクセス制御装置300の例示的構造ブロック図である。図3に示すように、本実施例のアクセス制御装置300は位置取得部310、エリア進入決定部320及びサービス提供部330を含む。アクセス制御装置300はそれぞれ前記図1のアクセス制御方法の各ステップ/機能を実行できる。そのため、以下ではアクセス制御装置300の主要部材についてのみ説明を行い、以上で図1と組み合わせてすでに記述した細かい内容は省略する。
【００３１】
具体的には、位置取得部310が端末の信号特徴値から端末の位置情報を決定する。またエリア進入決定部320が位置取得部310の取得した位置情報から端末がアクセスエリアの境界を通過して当該アクセスエリアに進入したかどうかを決定する。本実施例では、アクセスエリアの境界は以前に取得した参考装置の信号特徴値から決定したものである。
【００３２】
例えば、特徴値は一つの値でも、複数の値を含む配列でもよい。発信した信号強度から信号特徴値を生成できる。本発明のある例では、信号空間減衰モデルを利用して端末または参考装置の発信する信号のRSSI（受信信号強度指示器）を計算して信号特徴値とすることができる。また例えば、端末の信号特徴値から決定した位置情報と以前に取得した参考装置の信号特徴値から決定したアクセスエリアの境界がマッチングしているとき、エリア進入決定部320は端末がアクセスエリアの境界を通過し、アクセスエリアに進入したのを決定できる。
【００３３】
本発明の一例では、アクセスエリアは一つの候補エリアを含むことも、複数の候補エリアを含むこともできる。具体的には、エリア進入決定部320がユーザーからのエリア選択入力に基づいてアクセスエリアの含む候補エリアを決定できる。また、アクセス制御装置300は、各候補エリアの境界にしたい物理的位置を予め決定し、決定した物理的位置での参考装置の信号特徴値を測定及び/または計算し、取得した決定した物理的位置での信号特徴値を候補エリアの境界とすることができる。
【００３４】
ユーザーからのエリア選択入力に基づいてアクセスエリアの含む候補エリアを決定後、エリア進入決定部320が決定した候補エリアの境界からアクセスエリアの境界を生成する。例えば、ユーザーからのエリア選択入力に基づいてアクセスエリアの含む一つの候補エリアを決定したとき、エリア進入決定部320が当該候補エリアの境界をアクセスエリアの境界とすることができる。また例えば、ユーザーからのエリア選択入力に基づいてアクセスエリアの含む複数の候補エリアを決定したとき、エリア進入決定部320が当該複数の候補エリアの境界の中の結合されたアクセスエリア周囲にある境界をアクセスエリアの境界にすることができる。
【００３５】
また、本発明の別の実施例では、アクセスエリアの境界はアクセスエリアの各入口に対応する複数本の境界を含むことができる。位置情報から端末が所定の順序でアクセスエリアの一つの入口の複数本の境界の中の少なくとも二本の境界を通過したのを決定したとき、エリア進入決定部320は端末が該アクセスエリアに進入したのを決定する。例えば、アクセスエリアの境界はアクセスエリアの各入口に設置した内境界と当該入口に通じる経路上の外境界を少なくとも含む。位置情報から端末がまず外境界を通過し、その後さらに内境界を通過したのを決定したとき、エリア進入決定部320は端末が当該アクセスエリアに進入したのを決定する。本発明の一例では、アクセスエリアの入口と当該入口に通じる経路は予め決定した有効な入口と経路であり、かつ有効な入口と経路の個数は有限である。
【００３６】
端末がアクセスエリアに進入したのを決定したとき、サービス提供部330は端末がアクセスエリア内のサービスを使用することを許可する。
【００３７】
また、本発明の別の例では、アクセス制御装置300はさらにエリア区分部を含む。エリア区分部は参考装置の以前の当該経路上の信号特徴値から当該経路をエリア分けする。位置取得部310では端末の信号特徴値から区分されたエリア内で当該端末の位置する現在エリアを決定し、現在エリアを端末の位置情報とする。そのため、位置取得部310は端末のあるエリアを決定するだけで端末の位置情報を取得でき、端末の正確な位置情報は不要であり、それによって端末の位置情報を取得するのに行う必要のある捜査を簡略化できる。
【００３８】
一部状況では、安全を考慮して、有効な経路からアクセスエリアに進入したのではない全ての装置を禁止したいこともありうる。この場合、軌跡を通じて端末にさらなる認証を行うことができる。具体的には、アクセス制御装置300が軌跡決定部を含み、それによって位置情報から端末の移動軌跡を決定する。前述したように、軌跡決定部は端末のある現在エリアから端末の移動軌跡を生成できる。
【００３９】
例えば、軌跡決定部はマッチングを通じて端末と各エリアの接近度を判断できる。端末を携帯しているユーザーが進み、次々と各エリアを通過したとき、軌跡決定部は端末の発信した信号の特徴値に関するシーケンスを記録し、当該シーケンスを通じて端末の移動軌跡、即ち特定時刻に端末がどのエリアに現れるかをおおよそ判断できる。好適には、各エリアに対応する信号特徴値は複数の数値を含む配列であり、より高い判断精度を提供できる。
【００４０】
移動軌跡とアクセスエリアに通じる経路内の一本の経路がマッチングし、端末がアクセスエリアに進入したのを決定したとき、サービス提供部330は端末がアクセスエリア内のサービスを使用することを許可する。例えば、移動軌跡が一本の経路上の全てのエリアを通過したのを決定したとき、サービス提供部は移動軌跡と当該経路がマッチングしていると決定できる。入れ替えて、移動軌跡と一本の経路上のエリアのマッチングする個数が所定しきい値を超えているのを決定したとき、サービス提供部は移動軌跡と該経路がマッチングしていると決定できる。
【００４１】
また、本発明の別の例では、エリア進入決定部320がさらに位置情報から端末が当該アクセスエリアを離脱したかどうかを決定し、かつ端末が当該アクセスエリアを離脱したことを決定したとき、サービス提供部330は端末が当該アクセスエリア内のサービスを使用することを禁止する。
【００４２】
以上の本発明の実施例の提供するアクセス制御装置では、参考装置の以前の境界での信号特徴値からアクセスエリアの境界を決定し、当該境界と端末の信号特徴値に基づいて決定した端末の位置情報から端末が所定のアクセスエリアに進入したかどうかを決定し、それによってアクセスエリアの境界を柔軟にでき、かつ特定エリアの入口に赤外線、近接場などの装置を設置する必要はなく、出費を節約できる。
【００４３】
また、本発明の別の実施例では、本発明はアクセス制御ハードウェアシステムを通じて実施できる。図4は、本発明の実施例のアクセス制御システム400の全体ハードウェアブロック図である。図4に示すように、アクセス制御システム400は外部から例えばユーザーからのエリア選択入力などの関連画像または情報を入力するキーボード、マウス、及び通信ネットワーク及びそれに連結する遠隔入力装置など含むがそれに限らない入力装置410、前記の本発明の実施例のアクセス制御方法を実施するのに用い、例えばコンピュータの中央処理器またはその他の処理能力を有するチップなどを含むがそれに限らず、また例えばインターネットのネットワーク（未表示）に接続し、処理過程の必要性に応じて処理後の画像などを遠隔送信できる処理装置420、外部に前記情報制御方法を実施して取得した結果を出力するのに用い、例えばモニタ、プリンタ、及び通信ネットワーク及びそれに連結する遠隔出力装置などを含む出力装置430、及び揮発性または非揮発性の方式で前記の例えば参考装置と端末の信号特徴値、設置した境界、区分したエリア、予約情報などを記憶するのに用い、例えばランダムアクセスメモリ（RAM）、読取り専用メモリ（ROM）、ハードディスク、または半導体メモリなどの各種揮発性または非揮発性メモリを含む記憶装置440を含む。
【００４４】
当業者であれば、本発明はシステム、装置、方法またはコンピュータプログラム製品として実現できることがわかる。そのため、本発明は具体的に以下の形式、即ち完全なハードウェア、または完全なソフトウェア（ファームウェア、常駐ソフト、マイクロコードなど）、またはハードウェアとソフトウェアの結合形式で実現でき、本文では通常「コンポーネント」、「モジュール」、「装置」または「システム」と称している。また、一部実施例では、本発明は一つまたは複数のコンピュータ可読媒体内のコンピュータプログラム製品の形式で実現でき、当該コンピュータ可読媒体にはコンピュータが読み込むことのできるプログラムコードを含む。
【００４５】
一つまたは複数のコンピュータ可読媒体の任意の組合せを採用できる。コンピュータ可読記録媒体はコンピュータ可読信号媒体またはコンピュータ可読記録媒体である。コンピュータ可読記録媒体は例えば電気、磁気、光、電磁、赤外線または半導体のシステム、装置、機器、または以上の任意の組合せを含むが、それに限らない。コンピュータ可読記録媒体のさらに具体的な例は（非包括的一覧）は一つまたは複数の導線を有する電気的接続、ポータブルコンピュータ磁気ディスク、ハードディスク、ランダムアクセスメモリ（RAM）、読取り専用メモリ（ROM）、消去及びプログラム可能読取り専用メモリ（EPROMまたはフラッシュメモリ）、光ファイバー、コンパクトディスク読取り専用メモリ（CD-ROM）、光学記憶装置、磁気記憶装置、または上記の任意の適切な組合せを含む。本文書では、コンピュータ可読記録媒体はプログラムを含むか記録するいずれかの有形の媒体でよく、当該プログラムはコマンド実行システム、装置または機器に使用させるか、またはそれらの組合せに使用させることができる。
【００４６】
コンピュータ可読の信号媒体はベースバンドの中または搬送波の一部分として伝播するデータ信号を含み、コンピュータが読み取ることのできるプログラムコードをロードしている。このような伝播するデータ信号は様々な形式を採用でき、電磁信号、光信号または上記の任意の適切な組合せを含むがそれに限らない。コンピュータ可読信号媒体はさらにコンピュータ可読記録媒体以外のいずれかのコンピュータ可読媒体でもよく、当該コンピュータ可読媒体はコマンド実行システム、装置または機器が使用またはそれらの組合せが使用するのに用いるプログラムを送信、伝播または伝送できる。
【００４７】
コンピュータ可読媒体に含まれるプログラムコードはいずれかの適切な媒体の伝送に用いることが、無線、電線、光ケーブル、RFなどか、または上記の任意の適切な組合せを含むがそれに限らない。
【００４８】
一つまたは複数のプログラミング言語またはその組合せによって本発明操作の実行に用いるコンピュータプログラムコードを作成し、前記プログラミング言語はオブジェクト指向のプログラミング言語―例えばJava(登録商標)、Smalltalk、C++を含み、さらに通常の手続き型プログラミング言語―例えば「C」言語または類似のプログラミング言語を含む。プログラムコードは完全にユーザーコンピュータ上で実行することも、部分的にユーザーコンピュータ上で実行することも、独立したソフトウェアパッケージとして実行することも、一部をユーザーコンピュータ上で実行して一部をリモートコンピュータ上で実行することも、または完全にリモートコンピュータまたはサーバで実行することもできる。リモートコンピュータに関わる状況では、リモートコンピュータはローカルエリアネットワーク（LAN）、広域ネットワーク（WAN）を含む任意のネットワークを通じてユーザーコンピュータに接続、または外部コンピュータに接続できる（例えばインターネットサービスプロバイダを利用したインターネットを通じて接続する）。
【００４９】
以上、本発明の実施例の方法、装置（システム）及びコンピュータプログラム製品のフローチャート及び/またはブロック図を参考に本発明を説明した。理解すべきことは、フローチャート及び/またはブロック図の各ボックス及びフローチャート及び/またはブロック図の各ボックスの組合せは、コンピュータプログラムコマンドが実現できることである。これらのコンピュータプログラムコマンドは汎用コンピュータ、専用コンピュータまたはその他プログラマブルデータ処理装置のプロセッサに提供でき、それによって機器を生み出し、これらのコンピュータプログラムコマンドはコンピュータまたはその他プログラマブルデータ処理装置を通じて実行し、フローチャート及び/またはブロック図のボックスの中で規定している機能/操作を実現する装置を生み出す。
【００５０】
これらコンピュータプログラムコマンドはコンピュータまたはその他プログラマブルデータ処理装置を特定方式で作動させるコンピュータ可読媒体に記録することができる。このようにして、コンピュータ可読媒体に記録したコマンドはフローチャート及び/またはブロック図のボックスの中で規定している機能/操作を実現するコマンド装置（instruction means）を含む製造品（manufacture）を生み出す。
【００５１】
コンピュータプログラムコマンドをコンピュータ、その他プログラマブルデータ処理装置、またはその他装置にロードして、コンピュータ、その他プログラマブルデータ処理装置、またはその他装置上で一連の操作ステップを実行し、コンピュータが実現する過程を生み出し、それによってコンピュータ、その他プログラマブルデータ処理装置上で実行するコマンドにフローチャート及び/またはブロック図のボックスの中で規定している機能/操作を実現する過程を提供させることもできる。
【００５２】
図面内のフローチャート及びブロック図は本発明の複数の実施例のシステム、方法及びコンピュータプログラム製品の実現可能な体系構造、機能及び操作を示している。この点では、フローチャートまたはブロック図のボックスはモジュール、プログラムセグメント、コードの一部分を表すことができ、前記モジュール、プログラムセグメント、コードの一部分は一つまたは複数の規定の論理機能を実現するのに用いる実行可能なコマンドを含む。注意すべきことは、ブロック図及び/またはフローチャートの各ボックス、及びブロック図及び/またはフローチャートのボックスの組合せは、規定の機能または操作を実行する専用のハードウェアをベースにしたシステム、または専用ハードウェアとコンピュータコマンドの組合せから実現できる。
【００５３】
以上、本発明の各実施例を説明してきたが、前記説明は例であり、非包括的なものであり、開示された各実施例に限定するものではない。説明された各実施例の範囲と精神から逸脱していない場合、当業者であれば多くの修正と変更は自明のことである。本文で用いている用語の選択は、各実施例の原理、実際の応用または市場での技術の改良を最も適切に解説する、または当業者に本文が開示している各実施例を理解してもらうことを目的としている。
【図１】
2017028697.tif 000004
【図２ａ】
2017028697.tif 000005
【図２ｂ】
2017028697.tif 000006
【図３】
2017028697.tif 000007
【図４】
2017028697.tif 000008